(57)【要約】      （修正有）【課題】オムツ替えが簡単で腹部が露出することのない、乳幼児用つなぎ服を得ること。【解決手段】乳幼児用のつなぎ服の前身頃のみ、もしくは後身頃のみウエスト部分で上下に切り分け、その切り分け部分を境に前身頃のみ、もしくは後身頃のみ上着部１とズボン部４にわける。このウエスト部の上下の境目から赤ちゃんの下半身を出し入れすることにより、オムツ替えが素早く簡単にできる。また、前身頃ズボン部上部、もしくは後身頃ズボン部上部にゴムを装着する。このゴムを装着することで、前身頃のみ、もしくは後身頃のみ上下に分かれていても赤ちゃんのお腹が露出することがない。【選択図】図４
2015232195.tif 000002
【特許請求の範囲】
【請求項１】
乳幼児用つなぎ服の前身頃のみ、もしくは後身頃のみウエスト部分で上下に切り分け、ウエストの切り分け部分を境に前身頃のみ、もしくは後身頃のみ上着部とズボン部にわけることを特徴とする乳幼児用つなぎ服。
【請求項２】
乳幼児用つなぎ服の前身頃ウエスト、もしくは後身頃ウエストにある上着部とズボン部の境目は上着部下部とズボン部上部に重なり部分を設ける。上着部下部とズボン部上部の重なりは上着部下部が外側に出ること、ズボン部上部が外側に出ること、両方のデザインが可能であり、上着部とズボン部の重なり部分の前身頃ズボン部上部、もしくは重なり部の後身頃ズボン部上部にゴムを装着することを特徴とする乳幼児用つなぎ服。
【請求項３】
乳幼児用つなぎ服の前身頃が上下に分かれている場合は後身頃、後身頃が上下に分かれている場合は前身頃がつなぎになっているが、後身頃もしくは前身頃のつなぎは必ずしも一枚布でなく、上着部分、ズボン部分が別々の布であったり、何枚もの布が繋ぎ合わせてあったりしても、繋ぎ合わせることで後身頃もしくは前身頃がつなぎになることを特徴とする乳幼児用つなぎ服。
【発明の詳細な説明】
【技術分野】
【０００１】  この発明は、乳幼児用つなぎ服の前身頃のみ、もしくは後身頃のみウエスト部分を上下に切り分けた乳幼児用つなぎ服に関する。
【背景技術】
【０００２】  従来の乳幼児用のつなぎ服は股の内側から両足首にかけて６個から１０個のスナップボタンが付いており、オムツ替えの際にすべてのスナップボタンを外してオムツを替え、またスナップボタンを全て留めなければならなかった。また、スナップボタンの扱いが面倒で上下別々の服を着させることがあるが、上下が別々だとお腹が露出したり、ズボンがずり落ちたりする。また、オムツ替えもズボンを脱がし、また履かせるのが面倒であった。
【発明が解決しようとする課題】
【０００３】  夜中のうす暗い所でのオムツ替えの時や、急いでオムツ替えをしなければならない時は、スナップボタンを掛け違うことが多かった。また、赤ちゃんが泣いて早くオムツ替えを済ませたいときに、全てのスナップボタンを留めるのが面倒で、時間がかかっていた。一日に多いときで１０回もオムツ替えを要する赤ちゃんの育児において、スナップボタンを外す、留める、という一連の作業は、育児者にとって大変面倒な作業であり、ストレスを感じることが多い。
この発明は以上のような欠点をなくすためになされたものである。
【発明を解決するための手段】
【０００４】  乳幼児用つなぎ服の前身頃のみ、もしくは後身頃のみウエスト部分で上下に切り分け、ウエストの切り分け部分を境に前身頃のみ、もしくは後身頃のみ上着部とズボン部にわける。この前身頃ウエスト部、もしくは後身頃ウエスト部の上下の境目を利用し、前身頃の境目、もしくは後身頃の境目から赤ちゃんの下半身を出し入れすることにより、オムツ替えが素早く簡単にできる。
【０００５】  そして前身頃ウエスト、もしくは後身頃ウエストにある上着部とズボン部の境目は上着部下部とズボン部上部に重なり部分を設ける。上着部下部とズボン部上部の重なりは上着部下部が外側に出ること、ズボン部上部が外側に出ること、両方が可能である。上着部とズボン部の重なり部分の前身頃ズボン部上部、もしくは重なり部の後身頃ズボン部上部にゴムを装着する。このゴムを装着することで、前身頃のみ、もしくは後身頃のみ上下に分かれていても赤ちゃんのお腹が露出することがない。
この発明は、以上のような構成による、オムツ替えの簡単な乳幼児用つなぎ服である。
【発明の効果】
【０００６】  オムツ替えの際、従来の乳幼児用つなぎ服の股から両足首部分にかけてあるスナップボタンを外す、留める、という面倒がなく、前身頃が上下に分かれた境目、もしくは後身頃が上下に分かれた境目から赤ちゃんの下半身を出し入れすることにより、オムツ替えが素早く簡単にできる。
夜中のうす暗いところでのオムツ替えや、赤ちゃんが泣いて急いでオムツを替える必要がある時も、素早くオムツ替えすることができる。スナップボタンを使わずにオムツ替えが可能になることで、オムツ替えに要する時間が大幅に短縮されるため、育児の負担が減少し育児者と赤ちゃん両方のストレスが低減できる。
また、前身頃、もしくは後身頃が上下に分かれていても、前身頃ズボン部分上部、もしくは後身頃ズボン部分上部にゴムを装着することで、赤ちゃんのお腹が露出されることがなく、前身頃が上下に分かれている場合は後身頃、後身頃が上下に分かれている場合は前身頃がつなぎになっていることで、ズボン部分がずり落ちることなく、従来の乳幼児用つなぎ服と同様に扱うことができ、育児がしやすい構造になっている。
【発明を実施するための最良の形態】
【０００７】  以下、添付図面を参照して本発明の実施の形態について説明する。
本発明の乳幼児用つなぎ服は〔図１〕（ａ）で示したように、前身頃のウエスト部を境に上下に切り分け、前身頃のみ上着部分１とズボン部分３に分ける。前身頃のみ上着部分とズボン部分に分けるため、後身頃は〔図２〕（ｃ）で示すように、従来のつなぎ服と同じ外観になる。
逆に〔図２〕（ｄ）は後身頃のウエスト部を境に上下に切り分け、後身頃のみ上着部分１とズボン部分３
に分けたことを示す。後身頃のみ上着部分とズボン部分に分けるため、前身頃は〔図１〕（ｂ）で示すように、従来のつなぎ服と同じ外観になる。【０００８】  本発明の乳幼児用つなぎ服は前身頃ウエスト、もしくは後身頃ウエストにある上着部とズボン部の境目に上着部下部とズボン部上部に上着とズボンの重なり部分５を設ける。上着部下部とズボン部上部の重なりは、前身頃が上下に分かれている場合は〔図１〕（ａ）で示すように、後身頃が上下に分かれている場合は〔図２〕（ｄ）で示すように、上着部下部が外側に出ること、また、前身頃が上下に分かれている場合は〔図３〕（ｅ）で示すように、後身頃が上下に分かれている場合は〔図３〕（ｆ）で示すように、ズボン部上部が外側に出ること、両方のデザインで作ってもオムツ替えがしやすい構造になっている。【０００９】  乳幼児用のつなぎ服の前身頃、もしくは後身頃を上下に切り分けることで、お腹が露出してしまうことを避けるため、前身頃を上下に切り分けた場合は〔図４〕（ｇ）で示すように前身頃ズボン部上部ゴム装着部４、もしくは後身頃を上下に切り分けた場合は〔図４〕（ｆ）で示すように後身頃ズボン部上部ゴム装着部４にゴムを装着する。
【図面の簡単な説明】
【００１０】
【図１】本発明の乳幼児用つなぎ服の正面図。（ａ）は前身頃が上下に分かれている乳幼児用つなぎ服。（ｂ）は後身頃が上下に分かれている乳幼児用つなぎ服。
【図２】本発明の乳幼児用つなぎ服の背面図。（ｃ）は前身頃が上下に分かれている乳幼児用つなぎ服。（ｄ）は後身頃が上下に分かれている乳幼児用つなぎ服。
【図３】（ｅ）は〔図１〕（ａ）のズボン部上部が外側に出ている状態を示す図。（ｆ）は〔図２〕（ｄ）のズボン部上部が外側に出ている状態を示す図。
【図４】（ｇ）は〔図１〕（ａ）の前身頃を開いた状態を示す図。（ｈ）は〔図２〕（ｄ）の上着部をめくった状態を示す図。
【符号の説明】
【００１１】１  上着部分
２  スナップボタン
３  ズボン部分
４  ゴム装着部
５  上着とズボンの重なり部分
【図１】
2015232195.tif 000003
【図２】
2015232195.tif 000004
【図３】
2015232195.tif 000005
【図４】
2015232195.tif 000006